(57)【要約】【課題】ビデオ監視カメラに関し、特にビデオ監視カメラの赤外線発光ダイオードを制御するソーラ検出器を備えるビデオ監視カメラを提供する。【解決手段】ビデオ監視カメラは、ＩＲ光を放射する赤外線（ＩＲ）発光ダイオード（ＬＥＤ）と、可視光を検出するソーラ検出器と、を有する。そして、ビデオ監視カメラは、ソーラ検出器で検出される可視光のレベルに応じてＩＲ光を放射する赤外線発光ダイオードを制御できる。従って、ビデオ監視カメラは、不可視光が存在する場合であっても、可視光のレベルが変化する時に、ＩＲ  ＬＥＤを完全にオフ又はオンにすることができる。【選択図】図３
0003135193.tif 000002
【実用新案登録請求の範囲】
【請求項１】
ＩＲ光を放射するＩＲ  ＬＥＤと、
光を検出するソーラ検出器と、
該ＩＲ  ＬＥＤを制御すると共に、該ソーラ検出器で検出された光のレベルに応じてＩＲ光を放射する手段と、
を備えるビデオ監視カメラ。
【請求項２】
前記ソーラ検出器はソーラパネルであることを特徴とする請求項１に記載のビデオ監視カメラ。
【請求項３】
前記ＩＲ  ＬＥＤを制御すると共に、該ソーラ検出器で検出された光のレベルに応じてＩＲ光を放射する手段は、ソーラ検出器で検出される光のレベルに応じてＩＲ  ＬＥＤを有効に又は無効にさせる手段を備えることを特徴とする請求項１に記載のビデオ監視カメラ。
【請求項４】
前記ＩＲ  ＬＥＤを制御すると共に、該ソーラ検出器で検出された光のレベルに応じてＩＲ光を放射する手段は、該ＩＲ  ＬＥＤを制御すると共に、ソーラ検出器で検出される光のレベルに対応する強度により、ＩＲ光を放射する手段を備えることを特徴とする請求項１に記載のビデオ監視カメラ。
【請求項５】
ＩＲ光を放射するＩＲ  ＬＥＤアレイと、
光を検出するソーラ検出器と、
該ＩＲ  ＬＥＤアレイを制御すると共に、該ソーラ検出器で検出された光のレベルに応じてＩＲ光を放射する手段と、
を備えるビデオ監視カメラ。
【請求項６】
前記ソーラ検出器はソーラパネルであることを特徴とする請求項５に記載のビデオ監視カメラ。
【請求項７】
前記ＩＲ  ＬＥＤアレイを制御すると共に、該ソーラ検出器で検出された光のレベルに応じてＩＲ光を放射する手段は、ソーラ検出器で検出される光のレベルに応じてＩＲ  ＬＥＤアレイを有効に又は無効にさせる手段を備えることを特徴とする又請求項５に記載のビデオ監視カメラ。
【請求項８】
前記ＩＲ  ＬＥＤアレイを制御すると共に、該ソーラ検出器で検出された光のレベルに応じてＩＲ光を放射する手段は、該ＩＲ  ＬＥＤアレイを制御すると共に、ソーラ検出器で検出される光のレベルに対応する強度により、ＩＲ光を放射する手段を備えることを特徴とする請求項５に記載のビデオ監視カメラ。
【考案の詳細な説明】
【技術分野】
【０００１】
本考案は、ビデオ監視カメラに関し、特にビデオ監視カメラの赤外線発光ダイオードを制御するソーラ検出器を備えるビデオ監視カメラに関するものである。
【背景技術】
【０００２】
従来のビデオ監視カメラは、可視光が不十分である場合、鮮明な映像を取得するために、光源として赤外線（ＩＲ）発光ダイオード（ＬＥＤ）を使用する。赤外線ＬＥＤを制御するために従来のビデオ監視カメラでは、フォトレジスタ、光ダイオード、又はフォトトランジスタを用いることにより、検出される可視光又は不可視光のレベルに基づき信号を発生させるている。最近では、特定有害物質使用制限指令（ＲｏＨＳ）に準拠するために、鉛（Ｐｂ）を含むフォトレジスタの代わりに、フォトダイオード又はフォトトランジスタを使用している。
【考案の開示】
【考案が解決しようとする課題】
【０００３】
図１は、従来のビデオ監視カメラ１００の簡略斜視図であり、
このビデオ監視カメラ１００は、パネル１１０と、該パネル１１０に取付けられるＩＲ  ＬＥＤ１１２アレイと、カメラレンズを遮蔽するためのスクリーン１２０と、光を検出するためのフォトダイオード／フォトトランジスタ１１４と、を備える。
前記フォトダイオード／フォトトランジスタ１１４により光を検出すると、該フォトダイオード／フォトトランジスタ１１４は、ＩＲ  ＬＥＤ１１２をオフに制御する電気信号を発し、一方、前記フォトダイオード／フォトレジスタ１１４により検出される光が不十分である時には、該フォトダイオード／フォトトランジスタ１１４は、ＩＲ  ＬＥＤ１１２をオンに制御する信号を発する。
【０００４】
前記フォトダイオードとフォトトランジスタは共に、周囲の可視光のレベルを検出すると共に、その検出の結果に基づいて信号を発することができ、該フォトダイオード／フォトトランジスタ１１４によって検出可能なＩＲ光は、赤外線ＬＥＤによって発せられ、該フォトダイオード／フォトトランジスタ１１４と赤外線ＬＥＤを覆うスクリーン１２０から放射される。
これによれば、可視光のレベルが低い場合、該フォトダイオード／フォトトランジスタ１１４が検出された不可視光によって信号を発したとしても、赤外線ＬＥＤが完全にオンにされない可能性がある。
この問題を克服するために、従来の技術では、フォトダイオード／フォトトランジスタ１１４にガスケット１１６を追加し、スクリーン１２０に対してフォトダイオード／フォトトランジスタ１１４を押し付けて、スクリーン１２０から反射されるＩＲ光からフォトトランジスタ／フォトダイオード１１４を遮蔽し、それによりフォトトランジスタ／フォトダイオード１１４によって検出される赤外光の量を減少させている。しかしながら、この対策は完全に有効とは言えない。ガスケット１１６の設置においては、適切な遮蔽を確保にするために十分に注意する必要があるが、ビデオ監視カメラの組み立ての複雑化以外に、赤外線が依然としてフォトダイオード／フォトトランジスタ１１４に到達してしまうという問題があった。
【課題を解決するための手段】
【０００５】
本考案は、ＩＲ光を放射するＩＲ  ＲＥＤと、光を検出するソーラ検出器と、該ＩＲ  ＬＥＤを制御すると共に、該ソーラ検出器で検出された光のレベルに応じてＩＲ光を放射する手段と、を備えるビデオ監視カメラを提供する。
【０００６】
本考案は、ＩＲ光を放射するＩＲ  ＬＥＤアレイと、光を検出するソーラ検出器と、該ＩＲ  ＬＥＤアレイを制御すると共に、該ソーラ検出器で検出された光のレベルに応じてＩＲ光を放射する手段と、を備えるビデオ監視カメラを提供する。
【０００７】
本考案のこれら及び他の目的は、種々の図面及び図面に描かれる好適な実施の形態について述べた、以下の詳細な説明を読めば、当業者にとって明らかになると考える。
【考案の効果】
【０００８】
従来の技術と比較すると、本考案のソーラパネルは、ソーラパネルに入射するＩＲ光ににより電気信号を発しないので、ビデオ監視カメラは、ソーラパネルで検出された可視光が十分に低いレベルである時、ＩＲ  ＬＥＤを完全にオン状態にすることができる。
また、前記ソーラパネルを設置することにより、従来の技術で必要とされたガスケットが排除されるので、従来の技術のフォトダイオード／フォトトランジスタと比較して、可視光を検出するためのより適切な手段を提供できる。
【考案を実施するための最良の形態】
【０００９】
図２は、本考案に係るＩＲ  ＬＥＤパネル２００の簡略前視図であり、
該ＩＲ  ＬＥＤパネル２００は、パネル２１０と、ＩＲ  ＬＥＤ２１２アレイと、ソーラパネル２１４と、を備える。
前記ＩＲ  ＬＥＤ２１２は該パネル２１０に取り付けられ、ビデオカメラのレンズによって得られたＩＲ光を発する。
前記ソーラパネル２１４（特定のソーラ検出器）は、太陽の可視光を検出すると共に、検出された光のレベルに基づいて電気信号を発する。
前記ＩＲ  ＬＥＤパネル２００は、更に該ＩＲ  ＬＥＤ２１２を制御すると共に、該ソーラパネル２１４で検出された光のレベルに応じてＩＲ光を放射する手段を備える。
前記ＩＲ  ＬＥＤ２１２を制御する手段は、例えば、コンパレータ、スイッチ、又はマイクロコントローラ等のハードウェア手段、ソフトウェア手段、又はファームウェア手段である。
【００１０】
前記ソーラパネル２１４で検出された光のレベルが上限より高いと、該ＩＲ光を放射するＩＲ  ＬＥＤ２１２を制御する手段が、ＩＲ  ＬＥＤ２１２をオフにし、一方、該ソーラパネル２１４で検出された光のレベルが上限を下回ると、該ＩＲ光を放射するＩＲ  ＬＥＤ２１２を制御する手段が、ＩＲ  ＬＥＤ２１２をオンにし、ソーラパネル２１４で検出された光のレベルに対応する強度のＩＲ光を放射するためにＩＲ  ＬＥＤ２１２を制御する。
前記ソーラパネル２１４で検出された光のレベルが下限より低い場合、該ＩＲ光を放射するＩＲ  ＬＥＤ２１２を制御する手段が、ＩＲ  ＬＥＤ２１２を完全にオンにし、即ち、ＩＲ  ＬＥＤ２１２によって放射されるＩＲ光の強度はもはや最大強度を超えて増加することはない。
【００１１】
前記ＩＲ  ＬＥＤ２１２アレイは、本考案の好適な実施形態で使用されるが、本考案のＩＲ  ＬＥＤパネル２００を使用可能にするためには、単に１つのＩＲ  ＬＥＤ２１２を使用するだけでよい。
図３に示すように、ＩＲ  ＬＥＤパネル２００は、ＩＲ  ＬＥＤパネル２００を備えるビデオ監視カメラ３００で使用される。
又、前記ソーラパネル２１４は、太陽の可視光を検出するために使用されるが、このソーラパネル２１４に限定されるものではなく、更に、本考案では、可視範囲内の光のレベルに基づいて信号を発する任意の光検出素子を使用することができる。
最後に、図２及び図３に示すように、前記ソーラパネル２１４には、複数のセルを有すると示されているが、この複数のセルを有することは、本考案を制限するものではない。その理由は、１つのセルしか有しないソーラパネルであっても、本考案の目的を達成することができるからである。又、該ソーラパネル２１４の形状も本考案を制限するものではなく、本考案は、例えば円形、楕円形、三角形又は五角形のソーラパネル等の様々な形状のソーラパネルでも達成することができる。本考案を達成するためには、入射可視光に対応する電気応答を発生できる任意の光検出素子であれば十分である。
【００１２】
従来の技術と比較すると、本考案のソーラパネル２１４は、ソーラパネルに入射するＩＲ光ににより電気信号を発しないので、ビデオ監視カメラは、ソーラパネル２１４で検出された可視光が十分に低いレベルである時、ＩＲ  ＬＥＤを完全にオン状態にすることができる。
また、前記ソーラパネル２１４を設置することにより、従来の技術で必要とされたガスケットが排除されるので、従来の技術のフォトダイオード／フォトトランジスタと比較して、可視光を検出するためのより適切な手段を提供できる。
【図面の簡単な説明】
【００１３】
【図１】従来の技術に係るビデオ監視カメラの簡略斜視図である。
【図２】本考案に係るＩＲ  ＬＥＤパネルの簡略前視図である。
【図３】本考案に係るビデオ監視カメラの簡略斜視図である。
【図１】
0003135193.tif 000003
【図２】
0003135193.tif 000004
【図３】
0003135193.tif 000005
【手続補正書】
【提出日】平成19年7月12日(2007.7.12)
【手続補正１】
【補正対象書類名】明細書
【補正対象項目名】０００５
【補正方法】変更
【補正の内容】
【０００５】
本考案は、ＩＲ光を放射するＩＲ  ＬＥＤと、光を検出するソーラ検出器と、該ＩＲ  ＬＥＤを制御すると共に、該ソーラ検出器で検出された光のレベルに応じてＩＲ光を放射する手段と、を備えるビデオ監視カメラを提供する。